(57)【要約】      （修正有）【課題】送信モード検出を可能にするＭＵ−ＭＩＭＯ（マルチユーザ複数入力複数出力）  ＶＨＴ（超高スループット）プリアンブル技術を提供する。【解決手段】ＶＨＴ−ＳＩＧ（信号）フィールドは２つの部分に分割され、第１の部分４０６と第２の部分４１２が送信される。第１の部分４０６はすべてのユーザの間で共通であり、受信局に送信モードを通知するために、ＶＨＴ−ＳＴＦフィールド４０８の前に送信される。第２の部分４１２は各ユーザに対して特有であり、すべてのＶＨＴ−ＬＴＦフィールド４１０が送信された後に、受信局に送信される。【選択図】図５
2014140188.tif 000002
【特許請求の範囲】
【請求項１】
ワイヤレス通信のための方法において、
フレーム構造の信号（ＳＩＧ）フィールドの第１の部分を受信することと、
前記ＳＩＧフィールドの前記第１の部分に基づいて、前記フレーム構造の送信モードを決定することと、
前記送信モードに基づいて、前記フレーム構造の残りのパートを受信することとを含み、
前記ＳＩＧフィールドは、複数の装置に対して共通である前記第１の部分と、各装置に対して特有である第２の部分とを有する方法。
【請求項２】
前記ＳＩＧフィールドを受信する際に使用する配列と直交する軸上で、送信モード情報が受信される請求項１記載の方法。
【請求項３】
前記ＳＩＧフィールドの、前記第１の部分または前記第２の部分は、少なくとも１つの直交周波数分割多重化（ＯＦＤＭ）シンボルを有する請求項１記載の方法。
【請求項４】
前記送信モードは、電気電子技術者協会（ＩＥＥＥ）８０２．１１標準規格のうちの少なくとも１つに準拠している請求項１記載の方法。
【請求項５】
前記送信モードに基づいて、前記ＳＩＧフィールドの前記第１の部分中の１つ以上のビットを解釈することをさらに含む請求項１記載の方法。
【請求項６】
前記ＳＩＧフィールドの前記第１の部分は、前記フレーム構造の長トレーニングフィールドの数を示す請求項１記載の方法。
【請求項７】
前記フレーム構造の残りのパートを受信することは、
前記フレーム構造の１つ以上の長トレーニングフィールドを受信することと、
前記ＳＩＧフィールドの前記第２の部分を受信することとを含む請求項１記載の方法。
【請求項８】
前記ＳＩＧフィールドの前記第２の部分の受信の前に受信した前記長トレーニングフィールドの数をカウントすることにより、前記長トレーニングフィールドの数を識別することをさらに含む請求項７記載の方法。
【請求項９】
前記長トレーニングフィールドを利用することにより、複数の空間ストリームに対する少なくとも１つのチャネルを推定することをさらに含む請求項７記載の方法。
【請求項１０】
前記送信モードに基づいて、自動利得制御（ＡＧＣ）を設定することをさらに含む請求項１記載の方法。
【請求項１１】
ワイヤレス通信のための方法において、
信号（ＳＩＧ）フィールドを含むフレーム構造を発生させることと、
前記フレーム構造の前記ＳＩＧフィールドの第１の部分を送信することと、
前記フレーム構造の前記ＳＩＧフィールドの第２の部分を送信することとを含み、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有である方法。
【請求項１２】
前記ＳＩＧフィールドの、前記第１の部分または前記第２の部分は、少なくとも１つの直交周波数分割多重化（ＯＦＤＭ）シンボルを有する請求項１１記載の方法。
【請求項１３】
前記ＳＩＧフィールドの前記第２の部分を送信することは、前記複数の装置に対して前記第２の部分をビーム形成することを含む請求項１１記載の方法。
【請求項１４】
前記ビーム形成の際に使用する、前記複数の装置に対する署名を取得するためのトレーニングを実行することをさらに含む請求項１３記載の方法。
【請求項１５】
前記フレーム構造の長トレーニングフィールド（ＬＴＦ）を送信することと、
前記ＬＴＦを送信した後に、前記ＳＩＧフィールドの前記第２の部分を送信することとをさらに含む請求項１１記載の方法。
【請求項１６】
前記ＳＩＧフィールドの前記第２の部分の送信は、前記長トレーニングフィールドの送信が終了したことを示す請求項１５記載の方法。
【請求項１７】
前記ＳＩＧフィールドの前記第２の部分は、長トレーニングフィールド（ＬＴＦ）の後に送信される請求項１１記載の方法。
【請求項１８】
前記複数の装置に短トレーニングフィールド（ＳＴＦ）を送信することをさらに含み、前記ＳＴＦは、前記ＳＩＧフィールドの前記第１の部分の後に送信される請求項１１記載の方法。
【請求項１９】
前記ＳＴＦは、各装置に対する自動利得制御（ＡＧＣ）設定を調節するために、前記装置により使用される請求項１８記載の方法。
【請求項２０】
前記ＳＩＧフィールドの前記第２の部分は、前記ＳＩＧフィールドの前記第２の部分の後に続く長トレーニングフィールドの数を示す請求項１１記載の方法。
【請求項２１】
前記ＳＩＧフィールドの前記第１の部分は、長トレーニングフィールドの数を示す請求項１１記載の方法。
【請求項２２】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を有する請求項１１記載の方法。
【請求項２３】
前記ＳＩＧフィールドの前記第２の部分は、変調およびコーディングスキーム（ＭＣＳ）、あるいは、前記装置のそれぞれに対する送信長のうちの少なくとも１つを有する請求項１１記載の方法。
【請求項２４】
前記ＳＩＧフィールドの前記第２の部分は、単一の空間ストリームの変調およびコーディングスキーム（ＭＣＳ）を利用することにより送信される請求項１１記載の方法。
【請求項２５】
マルチユーザビーム形成を使用することにより、前記装置に複数のシンボルを送信することをさらに含み、前記シンボルは、前記ＳＩＧフィールドの前記第１の部分の後に送信される請求項１１記載の方法。
【請求項２６】
ワイヤレス通信のための装置において、
フレーム構造の信号（ＳＩＧ）フィールドの第１の部分を受信するように構成されている受信機と、
前記ＳＩＧフィールドの前記第１の部分に基づいて、前記フレーム構造の送信モードを決定するように構成されている回路とを具備し、
前記受信機は、前記送信モードに基づいて、前記フレーム構造の残りのパートを受信するようにさらに構成され、
前記ＳＩＧフィールドは、複数の装置に対して共通である前記第１の部分と、各装置に対して特有である第２の部分とを含む装置。
【請求項２７】
前記ＳＩＧフィールドを受信する際に使用する配列と直交する軸上で、送信モード情報が受信される請求項２６記載の装置。
【請求項２８】
前記ＳＩＧフィールドの、前記第１の部分または前記第２の部分は、少なくとも１つの直交周波数分割多重化（ＯＦＤＭ）シンボルを含む請求項２６記載の装置。
【請求項２９】
前記送信モードは、電気電子技術者協会（ＩＥＥＥ）８０２．１１標準規格のうちの少なくとも１つに準拠している請求項２６記載の装置。
【請求項３０】
前記送信モードに基づいて、前記ＳＩＧフィールドの前記第１の部分中の１つ以上のビットを解釈するように構成されている回路をさらに具備する請求項２６記載の装置。
【請求項３１】
前記ＳＩＧフィールドの前記第１の部分は、前記フレーム構造の長トレーニングフィールドの数を示す請求項２６記載の装置。
【請求項３２】
前記フレーム構造の残りのパートを受信するように構成されている受信機は、前記フレーム構造の１つ以上の長トレーニングフィールドを受信し、前記ＳＩＧフィールドの前記第２の部分を受信するようにさらに構成されている請求項２６記載の装置。
【請求項３３】
前記ＳＩＧフィールドの前記第２の部分の受信の前に受信した前記長トレーニングフィールドの数をカウントすることにより、前記長トレーニングフィールドの数を識別するように構成されている回路をさらに具備する請求項３２記載の装置。
【請求項３４】
前記長トレーニングフィールドを利用することにより、複数の空間ストリームに対する少なくとも１つのチャネルを推定するように構成されている回路をさらに具備する請求項３２記載の装置。
【請求項３５】
前記送信モードに基づいて、自動利得制御（ＡＧＣ）を設定するように構成されている回路をさらに具備する請求項２６記載の装置。
【請求項３６】
ワイヤレス通信のための装置において、
信号（ＳＩＧ）フィールドを含むフレーム構造を発生させるように構成されている回路と、
前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有である装置。
【請求項３７】
前記ＳＩＧフィールドの、前記第１の部分または前記第２の部分は、少なくとも１つの直交周波数分割多重化（ＯＦＤＭ）シンボルを含む請求項３６記載の装置。
【請求項３８】
前記ＳＩＧフィールドの前記第２の部分を送信するように構成されている送信機は、前記複数の装置に対して前記第２の部分をビーム形成するようにも構成されている請求項３６記載の装置。
【請求項３９】
前記ビーム形成の際に使用する、前記複数の装置に対する署名を取得するためのトレーニングを実行するように構成されている回路をさらに具備する請求項３８記載の装置。
【請求項４０】
前記送信機は、前記フレーム構造の長トレーニングフィールド（ＬＴＦ）を送信し、前記ＬＴＦを送信した後に、前記ＳＩＧフィールドの前記第２の部分を送信するようにさらに構成されている請求項３６記載の装置。
【請求項４１】
前記ＳＩＧフィールドの前記第２の部分の送信は、前記長トレーニングフィールドの送信が終了したことを示す請求項４０記載の装置。
【請求項４２】
前記ＳＩＧフィールドの前記第２の部分は、長トレーニングフィールド（ＬＴＦ）の後に送信される請求項３６記載の装置。
【請求項４３】
前記送信機は、前記複数の装置に短トレーニングフィールド（ＳＴＦ）を送信するようにさらに構成され、前記ＳＴＦは、前記ＳＩＧフィールドの前記第１の部分の後に送信される請求項３６記載の装置。
【請求項４４】
前記ＳＴＦは、各装置に対する自動利得制御（ＡＧＣ）設定を調節するために、前記装置により使用される請求項４３記載の装置。
【請求項４５】
前記ＳＩＧフィールドの前記第２の部分は、前記ＳＩＧフィールドの前記第２の部分の後に続く長トレーニングフィールドの数を示す請求項３６記載の装置。
【請求項４６】
前記ＳＩＧフィールドの前記第１の部分は、長トレーニングフィールドの数を示す請求項３６記載の装置。
【請求項４７】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む請求項３６記載の装置。
【請求項４８】
前記ＳＩＧフィールドの前記第２の部分は、変調およびコーディングスキーム（ＭＣＳ）、あるいは、前記装置のそれぞれに対する送信長のうちの少なくとも１つを含む請求項３６記載の装置。
【請求項４９】
前記ＳＩＧフィールドの前記第２の部分は、単一の空間ストリームの変調およびコーディングスキーム（ＭＣＳ）を利用することにより送信される請求項３６記載の装置。
【請求項５０】
前記送信機は、マルチユーザビーム形成を使用することにより、前記装置に複数のシンボルを送信するようにさらに構成され、前記シンボルは、前記ＳＩＧフィールドの前記第１の部分の後に送信される請求項３６記載の装置。
【請求項５１】
ワイヤレス通信のための装置において、
フレーム構造の信号（ＳＩＧ）フィールドの第１の部分を受信する手段と、
前記ＳＩＧフィールドの前記第１の部分に基づいて、前記フレーム構造の送信モードを決定する手段とを具備し、
前記受信する手段は、前記送信モードに基づいて、前記フレーム構造の残りのパートを受信するようにさらに構成され、
前記ＳＩＧフィールドは、複数の装置に対して共通である前記第１の部分と、各装置に対して特有である第２の部分とを含む装置。
【請求項５２】
前記ＳＩＧフィールドを受信する際に使用する配列と直交する軸上で、送信モード情報が受信される請求項５１記載の装置。
【請求項５３】
前記ＳＩＧフィールドの、前記第１の部分または前記第２の部分は、少なくとも１つの直交周波数分割多重化（ＯＦＤＭ）シンボルを含む請求項５１記載の装置。
【請求項５４】
前記送信モードは、電気電子技術者協会（ＩＥＥＥ）８０２．１１標準規格のうちの少なくとも１つに準拠している請求項５１記載の装置。
【請求項５５】
前記送信モードに基づいて、前記ＳＩＧフィールドの前記第１の部分中の１つ以上のビットを解釈する手段をさらに具備する請求項５１記載の装置。
【請求項５６】
前記ＳＩＧフィールドの前記第１の部分は、前記フレーム構造の長トレーニングフィールドの数を示す請求項５１記載の装置。
【請求項５７】
前記フレーム構造の残りのパートを受信する手段は、前記フレーム構造の１つ以上の長トレーニングフィールドを受信し、前記ＳＩＧフィールドの前記第２の部分を受信するようにさらに構成されている請求項５１記載の装置。
【請求項５８】
前記ＳＩＧフィールドの前記第２の部分の受信の前に受信した前記長トレーニングフィールドの数をカウントすることにより、前記長トレーニングフィールドの数を識別する手段をさらに具備する請求項５７記載の装置。
【請求項５９】
前記長トレーニングフィールドを利用することにより、複数の空間ストリームに対する少なくとも１つのチャネルを推定する手段をさらに具備する請求項５７記載の装置。
【請求項６０】
前記送信モードに基づいて、自動利得制御（ＡＧＣ）を設定する手段をさらに具備する請求項５１記載の装置。
【請求項６１】
ワイヤレス通信のための装置において、
信号（ＳＩＧ）フィールドを含むフレーム構造を発生させる手段と、
前記フレーム構造の前記ＳＩＧフィールドの第１の部分を送信する手段とを具備し、
前記送信する手段は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有である装置。
【請求項６２】
前記ＳＩＧフィールドの、前記第１の部分または前記第２の部分は、少なくとも１つの直交周波数分割多重化（ＯＦＤＭ）シンボルを含む請求項６１記載の装置。
【請求項６３】
前記ＳＩＧフィールドの前記第２の部分を送信する手段は、前記複数の装置に対して前記第２の部分をビーム形成するようにさらに構成されている請求項６１記載の装置。
【請求項６４】
前記ビーム形成の際に使用する、前記複数の装置に対する署名を取得するためのトレーニングを実行する手段をさらに具備する請求項６３記載の装置。
【請求項６５】
前記送信する手段は、前記フレーム構造の長トレーニングフィールド（ＬＴＦ）を送信し、前記ＬＴＦを送信した後に、前記ＳＩＧフィールドの前記第２の部分を送信するようにさらに構成されている請求項６１記載の装置。
【請求項６６】
前記ＳＩＧフィールドの前記第２の部分の送信は、前記長トレーニングフィールドの送信が終了したことを示す請求項６５記載の装置。
【請求項６７】
前記ＳＩＧフィールドの前記第２の部分は、長トレーニングフィールド（ＬＴＦ）の後に送信される請求項６１記載の装置。
【請求項６８】
前記送信する手段は、前記複数の装置に短トレーニングフィールド（ＳＴＦ）を送信するようにさらに構成され、前記ＳＴＦは、前記ＳＩＧフィールドの前記第１の部分の後に送信される請求項６１記載の装置。
【請求項６９】
前記ＳＴＦは、各装置に対する自動利得制御（ＡＧＣ）設定を調節するために、前記装置により使用される請求項６８記載の装置。
【請求項７０】
前記ＳＩＧフィールドの前記第２の部分は、前記ＳＩＧフィールドの前記第２の部分の後に続く長トレーニングフィールドの数を示す請求項６１記載の装置。
【請求項７１】
前記ＳＩＧフィールドの前記第１の部分は、長トレーニングフィールドの数を示す請求項６１記載の装置。
【請求項７２】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む請求項６１記載の装置。
【請求項７３】
前記ＳＩＧフィールドの前記第２の部分は、変調およびコーディングスキーム（ＭＣＳ）、あるいは、前記装置のそれぞれに対する送信長のうちの少なくとも１つを含む請求項６１記載の装置。
【請求項７４】
前記ＳＩＧフィールドの前記第２の部分は、単一の空間ストリームの変調およびコーディングスキーム（ＭＣＳ）を利用することにより送信される請求項６１記載の装置。
【請求項７５】
前記送信する手段は、マルチユーザビーム形成を使用することにより、前記装置に複数のシンボルを送信するようにさらに構成され、前記シンボルは、前記ＳＩＧフィールドの前記第１の部分の後に送信される請求項６１記載の装置。
【請求項７６】
ワイヤレス通信のためのコンピュータプログラムプロダクトにおいて、
コンピュータ読取可能媒体を含み、
前記コンピュータ読取可能媒体は、
フレーム構造の信号（ＳＩＧ）フィールドの第１の部分を受信するために実行可能な命令と、
前記ＳＩＧフィールドの前記第１の部分に基づいて、前記フレーム構造の送信モードを決定するために実行可能な命令と、
前記送信モードに基づいて、前記フレーム構造の残りのパートを受信するために実行可能な命令とを有し、
前記ＳＩＧフィールドは、複数の装置に対して共通である前記第１の部分と、各装置に対して特有である第２の部分とを有するコンピュータプログラムプロダクト。
【請求項７７】
ワイヤレス通信のためのコンピュータプログラムプロダクトにおいて、
コンピュータ読取可能媒体を含み、
前記コンピュータ読取可能媒体は、
信号（ＳＩＧ）フィールドを含むフレーム構造を発生させるために実行可能な命令と、
前記フレーム構造の前記ＳＩＧフィールドの第１の部分を送信するために実行可能な命令と、
前記フレーム構造の前記ＳＩＧフィールドの第２の部分を送信するために実行可能な命令とを有し、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であるコンピュータプログラムプロダクト。
【請求項７８】
ワイヤレス通信のための局において、
少なくとも１本のアンテナと、
前記少なくとも１本のアンテナを通して、フレーム構造の信号（ＳＩＧ）フィールドの第１の部分を受信するように構成されている受信機と、
前記ＳＩＧフィールドの前記第１の部分に基づいて、前記フレーム構造の送信モードを決定するように構成されている回路とを具備し、
前記受信機は、前記送信モードに基づいて、前記フレーム構造の残りのパートを受信するようにさらに構成され、
前記ＳＩＧフィールドは、複数の装置に対して共通である前記第１の部分と、各装置に対して特有である第２の部分とを含む局。
【請求項７９】
ワイヤレス通信のためのアクセスポイントにおいて、
複数のアンテナと、
信号（ＳＩＧ）フィールドを含むフレーム構造を発生させるように構成されている回路と、
前記複数のアンテナを通して、前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であるアクセスポイント。
【発明の詳細な説明】
【米国特許法第１１９条の下での優先権主張】
【０００１】
本特許出願は、“モード検出を可能にするＭＵ−ＭＩＭＯ ＶＨＴダウンリンクプリアンブルに対する拡張”と題し、２００９年８月１２日に出願され米国仮特許出願シリアル番号６１／２３３，４５１と、“モード検出を可能にするＭＵ−ＭＩＭＯ ＶＨＴプリアンブルに対する拡張”と題し、２００９年８月１８日に出願された米国仮特許出願シリアル番号６１／２３４，９２７とに対して優先権を主張する。これらは、本発明の譲受人に譲渡され、ここでの参照によりここに明確に組み込まれている。
【技術分野】
【０００２】
本開示のある態様は、一般的に、ワイヤレス通信に関連し、さらに詳細には、受信機において、信号の送信モードを検出することに関連している。
【背景】
【０００３】
ワイヤレス通信システムに対して求められている増加する帯域幅要件の問題を取り扱うために、高データスループットを達成しつつチャネルリソースを共有することにより、複数のユーザ端末が単一のアクセスポイントと通信することを可能にする異なるスキームが開発されている。複数入力または複数出力（ＭＩＭＯ）技術は、次世代通信システムに対する人気のある技術として近年登場した１つのこのようなアプローチを表す。ＭＩＭＯ技術は、電気電子技術者協会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）に対して、ＩＥＥＥ８０２．１１委員会により開発されたワイヤレスローカルエリアネットワーク（ＷＬＡＮ）エアインターフェース標準規格の組を示している。
【０００４】
ＭＩＭＯワイヤレスシステムは、データ送信に対して、多数（ＮT本）の送信アンテナと、多数（ＮR本）の受信アンテナとを用いる。ＮT本の送信アンテナおよびＮR本の受信アンテナにより形成されたＭＩＭＯチャネルは、ＮS個の空間ストリームに分解してもよく、ここで、すべての実用的な目的のために、ＮＳ＜＝ｍｉｎ｛ＮT，ＮＲ｝である。ＮS個の空間ストリームを使用して、ＮS個の独立したデータストリームを送信し、より大きい全体的なスループットを達成してもよい。
【０００５】
単一のアクセスポイントと複数の局とを持つワイヤレスネットワークでは、アップリンク方向およびダウンリンク方向の双方において、異なる局に向けた複数のチャネル上で並行送信が起こることがある。
【概要】
【０００６】
本開示のある態様は、ワイヤレス通信のための方法を提供する。方法は、一般的に、フレーム構造の信号（ＳＩＧ）フィールドの第１の部分を受信することと、ＳＩＧフィールドの第１の部分に基づいて、フレーム構造の送信モードを決定することと、送信モードに基づいて、フレーム構造の残りのパートを受信することとを含み、ＳＩＧフィールドは、複数の装置に対して共通である第１の部分と、各装置に対して特有である第２の部分とを有する。
【０００７】
本開示のある態様は、ワイヤレス通信のための方法を提供する。方法は、一般的に、信号（ＳＩＧ）フィールドを含むフレーム構造を発生させることと、フレーム構造のＳＩＧフィールドの第１の部分を送信することと、フレーム構造のＳＩＧフィールドの第２の部分を送信することとを含み、第１の部分は、複数の装置に対して共通であり、フレーム構造の送信モードは、ＳＩＧフィールドの第１の部分に基づいて検出され、第２の部分は、複数の装置のそれぞれに対して特有である。
【０００８】
本開示のある態様は、ワイヤレス通信のための装置を提供する。方法は、一般的に、フレーム構造の信号（ＳＩＧ）フィールドの第１の部分を受信するように構成されている受信機と、ＳＩＧフィールドの第１の部分に基づいて、フレーム構造の送信モードを決定するように構成されている回路とを具備し、受信機は、送信モードに基づいて、フレーム構造の残りのパートを受信するようにさらに構成され、ＳＩＧフィールドは、複数の装置に対して共通である第１の部分と、各装置に対して特有である第２の部分とを含む。
【０００９】
本開示のある態様は、ワイヤレス通信のための装置を提供する。方法は、一般的に、信号（ＳＩＧ）フィールドを含むフレーム構造を発生させるように構成されている回路と、フレーム構造のＳＩＧフィールドの第１の部分を送信するように構成されている送信機とを具備し、送信機は、フレーム構造のＳＩＧフィールドの第２の部分を送信するようにさらに構成されており、第１の部分は、複数の装置に対して共通であり、フレーム構造の送信モードは、ＳＩＧフィールドの第１の部分に基づいて検出され、第２の部分は、複数の装置のそれぞれに対して特有である。
【００１０】
本開示のある態様は、ワイヤレス通信のための装置を提供する。方法は、一般的に、フレーム構造の信号（ＳＩＧ）フィールドの第１の部分を受信する手段と、ＳＩＧフィールドの第１の部分に基づいて、フレーム構造の送信モードを決定する手段とを具備し、受信する手段は、送信モードに基づいて、フレーム構造の残りのパートを受信するようにさらに構成され、ＳＩＧフィールドは、複数の装置に対して共通である第１の部分と、各装置に対して特有である第２の部分とを含む。
【００１１】
本開示のある態様は、ワイヤレス通信のための装置を提供する。方法は、一般的に、信号（ＳＩＧ）フィールドを含むフレーム構造を発生させる手段と、フレーム構造のＳＩＧフィールドの第１の部分を送信する手段とを具備し、送信する手段は、フレーム構造のＳＩＧフィールドの第２の部分を送信するようにさらに構成され、第１の部分は、複数の装置に対して共通であり、フレーム構造の送信モードは、ＳＩＧフィールドの第１の部分に基づいて検出され、第２の部分は、複数の装置のそれぞれに対して特有である。
【００１２】
本開示のある態様は、ワイヤレス通信のためのコンピュータプログラムプロダクトを提供する。コンピュータプログラムプロダクトは、コンピュータ読取可能媒体を含む。コンピュータ読取可能媒体は、フレーム構造の信号（ＳＩＧ）フィールドの第１の部分を受信するために実行可能な命令と、ＳＩＧフィールドの第１の部分に基づいて、フレーム構造の送信モードを決定するために実行可能な命令と、送信モードに基づいて、フレーム構造の残りのパートを受信するために実行可能な命令とを有し、ＳＩＧフィールドは、複数の装置に対して共通である第１の部分と、各装置に対して特有である第２の部分とを有する。
【００１３】
本開示のある態様は、ワイヤレス通信のためのコンピュータプログラムプロダクトを提供する。コンピュータプログラムプロダクトは、コンピュータ読取可能媒体を含む。コンピュータ読取可能媒体は、信号（ＳＩＧ）フィールドを含むフレーム構造を発生させるために実行可能な命令と、フレーム構造のＳＩＧフィールドの第１の部分を送信するために実行可能な命令と、フレーム構造のＳＩＧフィールドの第２の部分を送信するために実行可能な命令とを有し、第１の部分は、複数の装置に対して共通であり、フレーム構造の送信モードは、ＳＩＧフィールドの第１の部分に基づいて検出され、第２の部分は、複数の装置のそれぞれに対して特有である。
【００１４】
ある態様は、ワイヤレス通信のための局を提供する。局は、一般的に、少なくとも１本のアンテナと、少なくとも１本のアンテナを通して、フレーム構造の信号（ＳＩＧ）フィールドの第１の部分を受信するように構成されている受信機と、ＳＩＧフィールドの第１の部分に基づいて、フレーム構造の送信モードを決定するように構成されている回路とを具備し、受信機は、送信モードに基づいて、フレーム構造の残りのパートを受信するようにさらに構成され、ＳＩＧフィールドは、複数の装置に対して共通である第１の部分と、各装置に対して特有である第２の部分とを含む。
【００１５】
ある態様は、ワイヤレス通信のためのアクセスポイントを提供する。アクセスポイントは、一般的に、複数のアンテナと、信号（ＳＩＧ）フィールドを含むフレーム構造を発生させるように構成されている回路と、複数のアンテナを通して、フレーム構造のＳＩＧフィールドの第１の部分を送信するように構成されている送信機とを具備し、送信機は、フレーム構造のＳＩＧフィールドの第２の部分を送信するようにさらに構成され、第１の部分は、複数の装置に対して共通であり、フレーム構造の送信モードは、ＳＩＧフィールドの第１の部分に基づいて検出され、第２の部分は、複数の装置のそれぞれに対して特有である。
【図面の簡単な説明】
【００１６】
本開示の上記に記載した特徴を詳細に理解できる方法で、上記に簡単にまとめられている、より特定の説明を、態様への参照により得ることができるように、態様のうちのいくつかが、添付した図面中に図示されている。しかしながら、添付した図面は、本開示のある典型的な態様のみを図示しており、それゆえ、その範囲を限定するものとして考えられるものではないことに留意すべきである。説明は、他の等しく有効な実施形態に適応できる余地があるためである。
【図１】図１は、本開示のある態様にしたがった、ワイヤレス通信ネットワークのダイヤグラムを図示している。
【図２】図２は、本開示のある態様にしたがった、例示的な、アクセスポイントおよびユーザ端末のブロックダイヤグラムを図示している。
【図３】図３は、本開示のある態様にしたがった、例示的なワイヤレスデバイスのブロックダイヤグラムを図示している。
【図４Ａ】図４Ａは、本開示のある態様にしたがった、超高スループット（ＶＨＴ）ダウンリンクマルチユーザ複数入力複数出力（ＭＵ−ＭＩＭＯ）システムに対して提案するフレーム構造を図示している。
【図４Ｂ】図４Ｂは、本開示のある態様にしたがった、超高スループット（ＶＨＴ）ダウンリンクマルチユーザ複数入力複数出力（ＭＵ−ＭＩＭＯ）システムに対して提案するフレーム構造を図示している。
【図５】図５は、本開示のある態様にしたがった、ＶＨＴアップリンクＭＵ−ＭＩＭＯシステムに対して提案するフレーム構造を図示している。
【図６】図６は、本開示のある態様にしたがった、モード検出に対して適切なフレームを送信する例示的な動作を図示している。
【図６Ａ】図６Ａは、図６中に示されている動作を実行する能力がある例示的なコンポーネントを図示している。
【図７】図７は、本開示のある態様にしたがった、受信機において、受信信号の送信モードを検出する例示的な動作を図示している。
【図７Ａ】図７Ａは、図７中に示されている動作を実行する能力がある例示的なコンポーネントを図示している。
【詳細な説明】
【００１７】
本開示のある態様のさまざまな態様を下記に記述する。ここでの教示を幅広いさまざまな形態で具現化できること、ならびに、ここで開示する何らかの特有な、構造、機能、または双方は、単に代表的なものに過ぎないことは明らかであるべきである。ここでの教示に基づいて、ここで開示する態様は、他の何らかの態様から独立して実現できること、ならびに、これらの態様の２つ以上のものをさまざまな方法で組み合わせることができることを、当業者は正しく認識すべきである。例えば、任意の数のここで述べる態様を使用して、装置を実現でき、または、方法を実践できる。さらに、１つ以上のここで述べる態様に加えて、または、１つ以上のここで述べる態様の他に、他の構造、機能性、あるいは、構造および機能性を使用して、このような装置を実現でき、あるいは、このような方法を実践できる。さらに、態様は、請求項のうちの少なくとも１つのエレメントを含んでいてもよい。
【００１８】
ここで使用する“例示的な”というワードは、“例、事例、または例示として役割を果たすこと”を意味するように使用される。“例示的な”としてここで記述する何らかの態様は、必ずしも、他の態様より好ましい、または、他の態様より利点があるものとして解釈されるべきはない。また、ここで使用する“レガシー局”という用語は、一般的に、電気電子技術者協会（ＩＥＥＥ）８０２．１１ｎまたはＩＥＥＥ８０２．１１の以前のバージョンの標準規格をサポートするワイヤレスネットワークノードを指す。
【００１９】
ここで記述するマルチアンテナ送信技術は、コード分割多元接続（ＣＤＭＡ）、直交周波数分割多重化（ＯＦＤＭ）、時分割多元接続（ＴＤＭＡ）、空間分割多元接続（ＳＤＭＡ）等のような、さまざまなワイヤレス技術と組み合わせて使用してもよい。複数のユーザ端末は、異なる（１）ＣＤＭＡに対する直交コードチャネル、（２）ＴＤＭＡに対する時間スロット、または、（３）ＯＦＤＭに対するサブバンドを通して、データを並行して送信／受信できる。ＣＤＭＡシステムは、ＩＳ−２０００、ＩＳ−９５、ＩＳ−８５６、ワイドバンドーＣＤＭＡ（Ｗ−ＣＤＭＡ）、または他のいくつかの標準規格を実現してもよい。ＯＦＤＭシステムは、ＩＥＥＥ８０２．１１または他のいくつかの標準規格を実現させてもよい。ＴＤＭＡシステムは、ＧＳＭ（登録商標）または他のいくつかの標準規格を実現してもよい。これらのさまざまな標準規格は、技術的に知られている。
【００２０】
例示的なＭＩＭＯシステム
図１は、アクセスポイントとユーザ端末とを持つ多元接続ＭＩＭＯシステム１００を図示している。簡略化のために、１つのアクセスポイント１１０のみを図１中に示している。アクセスポイント（ＡＰ）は、一般的に、ユーザ端末と通信する固定局であり、また、基地局もしくは他のいくつかの専門用語として呼ばれることがある。ユーザ端末は、固定、または、移動性であってもよく、また、移動局、局（ＳＴＡ）、クライアント、ワイヤレスデバイス、または他のいくつかの専門用語として呼ばれることがある。ユーザ端末は、セルラ電話機、パーソナルデジタルアシスタント（ＰＤＡ）、ハンドヘルドデバイス、ワイヤレスモデム、ラップトップコンピュータ、パーソナルコンピュータ等のような、ワイヤレスデバイスであってもよい。
【００２１】
アクセスポイント１１０は、ダウンリンクおよびアップリンク上で、所定の任意の瞬間に、１つ以上のユーザ端末１２０と通信してもよい。ダウンリンク（すなわち、フォワードリンク）は、アクセスポイントからユーザ端末への通信リンクのことを指し、アップリンク（すなわち、リバースリンク）は、ユーザ端末からアクセスポイントへの通信リンクのことを指している。ユーザ端末はまた、別のユーザ端末とのピアツーピアを通信してもよい。システム制御装置１３０は、アクセスポイントに結合し、アクセスポイントに対して調整および制御を提供する。
【００２２】
システム１００は、ダウンリンクおよびアップリンク上のデータ送信に対して、複数の送信アンテナおよび複数の受信アンテナを用いる。アクセスポイント１１０は、多数、Ｎap本のアンテナを装備しており、ダウンリンク送信に対する複数入力（ＭＩ）とアップリンク送信に対する複数出力（ＭＯ）とを表す。選択されたユーザ機器１２０の組Ｎuは、集合的に、ダウンリンク送信に対する複数出力とアップリンク送信に対する複数入力とを表す。あるケースでは、Ｎu個のユーザ端末に対するデータシンボルストリームが、何らかの手段により、コードで、周波数で、または時間で多重化されていない場合に、Ｎap≧Ｎu≧１を有することが望ましいかもしれない。データシンボルストリームを、ＣＤＭＡによる異なるコードチャネルと、ＯＦＤＭによるサブバンドの互いに素な集合等とを使用して多重化できる場合に、Ｎuは、Ｎapよりも大きくてもよい。各選択されたユーザ端末は、ユーザに特有なデータをアクセスポイントに送信し、および／または、ユーザに特有なデータをアクセスポイントから受信する。一般的に、各選択されたユーザ端末は、１本または複数のアンテナ（すなわち、Ｎut≧１）を備えていてもよい。Ｎu個の選択されたユーザ端末は、同数のアンテナ、または、異なる数のアンテナを有することができる。
【００２３】
ＭＩＭＯシステム１００は、時分割デユプレクス（ＴＤＤ）システムまたは周波数分割デユプレクス（ＦＤＤ）システムであってもよい。ＴＤＤシステムにおいて、ダウンリンクおよびアップリンクは、同一の周波数帯域を共有する。ＦＤＤシステムにおいて、ダウンリンクおよびアップリンクは、異なる周波数帯域を使用する。ＭＩＭＯシステム１００はまた、送信に対して、単一の搬送波または複数の搬送波を利用してもよい。各ユーザ端末は、（例えば、コストを低く保つために）単一のアンテナを装備していてもよく、または、（例えば、追加的なコストをサポートできる場合には）複数のアンテナを装備してもよい。
【００２４】
図２は、ＭＩＭＯシステム１００中の、アクセスポイント１１０と、２つのユーザ端末１２０ｍおよび１２０ｘとのブロックダイヤグラムを示している。アクセスポイント１１０は、Ｎap本のアンテナ２２４ａないし２２４ａｐを装備している。ユーザ端末１２０ｍは、Ｎut,m本のアンテナ２５２ｍａないし２５２ｍｕを装備し、ユーザ端末１２０ｘは、Ｎut,x本のアンテナ２５２ｘａないし２５２ｘｕを装備している。アクセスポイント１１０は、ダウンリンクに対する送信エンティティ、および、アップリンクに対する受信エンティティである。各ユーザ端末１２０は、アップリンクに対する送信エンティティ、および、ダウンリンクに対する受信エンティティである。ここで使用する、“送信エンティティ”は、周波数チャネルを通してデータを送信する能力があり、独立的に動作する装置またはデバイスであり、“受信エンティティ”は、周波数チャネルを通してデータを受信する能力があり、独立的に動作する装置またはデバイスである。以下の説明では、下付き文字“ｄｎ”は、ダウンリンクのことを示し、下付き文字“ｕｐ”は、アップリンクのことを示し、Ｎup個のユーザ端末が、アップリンク上の同時送信に対して選択され、Ｎdn個のユーザ端末が、ダウンリンク上の同時送信に対して選択され、Ｎupは、Ｎdnに等しくてもよく、もしくは、Ｎdnに等しくなくてもよく、ＮupおよびＮdnは、静的な値であってもよく、または、各スケジューリング間隔に対して変化することができる。ビームステアリングまたは他の何らかの空間処理技術をアクセスポイントとユーザ端末とにおいて使用してもよい。
【００２５】
アップリンク上で、アップリンク送信に対して選択された各ユーザ端末１２０において、ＴＸデータプロセッサ２８８は、データソース２８６からトラフィックデータを受け取り、制御装置２８０から制御データを受け取る。ＴＸデータプロセッサ２８８は、ユーザ端末に対して選択されたレートに関係するコーディングおよび変調スキームに基づいて、ユーザ端末に対するトラフィックデータ｛ｄup,m｝を処理（例えば、エンコード、インターリーブ、および変調）し、データシンボルストリーム｛ｓup,m｝を提供する。ＴＸ空間プロセッサ２９０は、データシンボルストリーム｛ｓup,m｝上で空間処理を実行し、Ｎut,m本のアンテナに対してＮut,m個の送信シンボルストリームを提供する。各送信機ユニット（ＴＭＴＲ）２５４は、それぞれの送信シンボルストリームを受信して処理（例えば、アナログへコンバート、増幅、フィルタリング、および周波数アップコンバート）して、アップリンク信号を発生させる。Ｎut,m個の送信機ユニット２５４は、Ｎut,m本のアンテナ２５２からアクセスポイント１１０への送信に対してＮut,m個のアップリンク信号を提供する。
【００２６】
アップリンク上の同時送信に対して、多数、Ｎup個のユーザ端末をスケジューリングしてもよい。それらのユーザ端末のそれぞれは、そのデータシンボルストリーム上で空間処理を実行し、その送信シンボルストリームの組をアップリンク上でアクセスポイントに送信する。
【００２７】
アクセスポイント１１０において、Ｎap本のアンテナ２２４ａないし２２４ａｐは、アップリンク上で送信しているすべてのＮup個のユーザ端末からアップリンク信号を受信する。各アンテナ２２４は、受信信号をそれぞれの受信機ユニット（ＲＣＶＲ）２２２に提供する。各受信機ユニット２２２は、送信機ユニット２５４により実行されるものに対して相補的な処理を実行して、受信シンボルストリームを提供する。ＲＸ空間プロセッサ２４０は、Ｎap個の受信機ユニット２２２からのＮap個の受信シンボルストリーム上で受信機空間処理を実行して、Ｎup個の復元したアップリンクデータシンボルストリームを提供する。チャネル相関行列反転（ＣＣＭＩ）、最小平均二乗誤差（ＭＭＳＥ）、逐次干渉消去（ＳＩＣ）、または他の何らかの技術にしたがって、受信機空間処理を実行する。各復元したアップリンクデータシンボルストリーム｛ｓup,m｝は、それぞれのユーザ端末により送信されたデータシンボルストリーム｛ｓup,m｝の推定である。ＲＸデータプロセッサ２４２は、デコードされたデータを取得するために、そのストリームに対して使用したレートにしたがって、各復元したアップリンクデータシンボルストリーム｛ｓup,m｝を処理（例えば、復調、デインターリーブ、およびデコード）する。各ユーザ端末に対してデコードしたデータを、さらなる処理のために記憶装置および／または制御装置２３０に対するデータシンク２４４に提供してもよい。
【００２８】
ダウンリンク上では、アクセスポイント１１０において、ＴＸデータプロセッサ２１０は、ダウンリンク送信のためにスケジューリングされたＮdn個のユーザ端末に対する、データソース２０８からのトラフィックデータと、制御装置２３０からの制御データと、可能性としては、スケジューラ２３４からの他のデータとを受け取る。異なる伝送チャネル上で、さまざまなタイプのデータを送ってもよい。ＴＸデータプロセッサ２１０は、そのユーザ端末に対して選択されたレートに基づいて、各ユーザ端末に対するトラフィックデータを処理（例えば、エンコード、インターリーブ、および変調）する。ＴＸデータプロセッサ２１０は、Ｎdn個のユーザ端末に対してＮdn個のダウンリンクデータシンボルストリームを提供する。ＴＸ空間プロセッサ２２０は、Ｎdn個のダウンリンクデータシンボルストリーム上で空間処理を実行し、Ｎap本のアンテナに対してＮap個の送信シンボルストリームを提供する。各送信機ユニット（ＴＭＴＲ）２２２は、それぞれの送信シンボルストリームを受け取って処理し、ダウンリンク信号を発生させる。Ｎap個の送信機ユニット２２２は、Ｎap本のアンテナ２２４からユーザ端末への送信に対して、Ｎap個のダウンリンク信号を提供する。
【００２９】
各ユーザ端末１２０において、Ｎut,m本のアンテナ２５２は、アクセスポイント１１０からＮap個のダウンリンク信号を受信する。各受信機ユニット（ＲＣＶＲ）２５４は、関係するアンテナ２５２からの受信信号を処理して、受信シンボルストリームを提供する。ＲＸ空間プロセッサ２６０は、Ｎut,m個の受信機ユニット２５４からのＮut,m個の受信シンボルストリーム上で、受信機空間処理を実行して、復元したダウンリンクデータシンボルストリーム｛ｓdn,m｝をユーザ端末に対して提供する。受信機空間処理は、ＣＣＭＩ、ＭＭＳＥ、または他のいくつかの技術にしたがって実行される。ＲＸデータプロセッサ２７０は、復元されたダウンリンクデータシンボルストリームを処理（例えば、復調、デインターリーブ、およびデコード）して、ユーザ端末に対するデコードしたデータを取得する。
【００３０】
各ユーザ端末１２０において、Ｎut,m本のアンテナ２５２は、アクセスポイント１１０からＮap個のダウンリンク信号を受信する。各受信機ユニット（ＲＣＶＲ）２５４は、関係するアンテナ２５２からの受信信号を処理して、受信シンボルストリームを提供する。ＲＸ空間プロセッサ２６０は、Ｎut,m個の受信機ユニット２５４からのＮut,m個の受信シンボルストリーム上で、受信機空間処理を実行して、復元したダウンリンクデータシンボルストリーム｛ｓdn,m｝をユーザ端末に対して提供する。受信機空間処理は、ＣＣＭＩ、ＭＭＳＥ、または他のいくつかの技術にしたがって実行される。ＲＸデータプロセッサ２７０は、復元されたダウンリンクデータシンボルストリームを処理（例えば、復調、デインターリーブ、およびデコード）して、ユーザ端末に対するデコードしたデータを取得する。
【００３１】
図３は、システム１００内で用いることができるワイヤレスデバイス３０２において利用してもよいさまざまなコンポーネントを図示している。ワイヤレスデバイス３０２は、ここで記述したさまざまな方法を実現するように構成することができるデバイスの例である。ワイヤレスデバイス３０２は、アクセスポイント１１０またはユーザ端末１２０であってもよい。
【００３２】
ワイヤレスデバイス３０２は、ワイヤレスデバイス３０２の動作を制御するプロセッサ３０４を具備していてもよい。プロセッサ３０４はまた、中央処理装置（ＣＰＵ）としても呼ばれることがある。リードオンリーメモリ（ＲＯＭ）とランダムアクセスメモリ（ＲＡＭ）との双方を含んでいてもよいメモリ３０６は、命令およびデータをプロセッサ３０４に提供する。メモリ３０６の一部分はまた、不揮発性ランダムアクセスメモリ（ＮＶＲＡＭ）を含んでいてもよい。プロセッサ３０４は、典型的に、メモリ３０６内に記憶されているプログラム命令に基づいた論理的動作および算術動作を実行する。メモリ３０６中の命令は、ここで記述する方法を実現するために実行可能であってもよい。
【００３３】
ワイヤレスデバイス３０２はまた、ワイヤレスデバイス３０２と遠隔位置との間のデータの送信および受信を可能にする送信機３１０および受信機３１２を備えていてもよいハウジング３０８を具備していてもよい。送信機３１０および受信機３１２は、組み合わせて、トランシーバ３１４にしてもよい。複数の送信アンテナ３１６は、ハウジング３０８に取り付けてもよく、電気的にトランシーバ３１４に結合してもよい。ワイヤレスデバイス３０２はまた、（示していない）複数の送信機、複数の受信機、および複数のトランシーバを具備していてもよい。
【００３４】
ワイヤレスデバイス３０２はまた、トランシーバ３１４により受信した信号のレベルを検出して、定量化する際に使用してもよい信号検出器３１８を具備していてもよい。信号検出器３１８は、このような信号を、総エネルギーや、シンボル当たりの副搬送波当たりのエネルギーや、電力スペクトル密度や、他の信号として検出してもよい。ワイヤレスデバイス３０２はまた、信号を処理する際に使用するためのデジタル信号プロセッサ（ＤＳＰ）３２０を具備していてもよい。
【００３５】
ワイヤレスデバイス３０２のさまざまなコンポーネントは、データバスに加えて、電力バスと、制御信号バスと、ステータス信号バスとを含んでもよいバスシステム３２２により互いに結合されていてもよい。
【００３６】
ここで記述した技術は、一般的に、ＳＤＭＡ、ＯＦＤＭＡ、ＣＤＭＡ、ＳＤＭＡ、およびこれらの組み合わせのような、何らかのタイプの多元接続スキームを利用するシステム中で適用できることを当業者は認識するだろう。
【００３７】
モード検出を可能にするＭＵ−ＭＩＭＯ ＶＨＴプリアンブルに対する拡張
本開示のある態様は、受信機において、信号の送信モードを検出する技術を提供する。例えば、送信機は、ＩＥＥＥ８０２．１１ｎ／ａ／ａｃ標準規格のような異なる標準規格を使用して信号を送信するかもしれない。受信機は、信号を正しく処理することが可能になるように、信号の送信モード（すなわち、送信に対して使用する標準規格）を検出できるべきである。アップリンクＳＤＭＡおよびダウンリンクＳＤＭＡの双方において、信号の送信モードについての情報は、受信機において使用することになる各フレームのプリアンブル中に含められていてもよい。
【００３８】
図４Ａおよび４Ｂは、本開示のある態様にしたがった、超高スループット（ＶＨＴ）ダウンリンクマルチユーザ複数入力複数出力（ＭＵ−ＭＩＭＯ）システムに対して提案するフレーム構造を図示している。
【００３９】
図４中に図示されているように、短トレーニングフィールド（Ｌ−ＳＴＦ）、長トレーニングフィールド（Ｌ−ＬＴＦ）、信号（Ｌ−ＳＩＧ）、高スループット信号（ＨＴ−ＳＩＧ１）４０２、およびＨＩ−ＳＩＧ２ ４０４のような、フレーム構造中のプリアンブルフィールドが、すべてのユーザに共通であり、それゆえ、ビーム形成されない。フィールドの超高スループット−短トレーニングフィールド（ＶＨＴ−ＳＴＦ）４０８が、ビーム形成される、フレーム中の最初のフィールドである。加えて、ＶＨＴ−ＳＦＴフィールドの後に送信される、フレーム中の残りのフィールドも、特有なユーザにビーム形成される。
【００４０】
本開示のある態様において、自動利得制御（ＡＧＣ）設定を調節するために、ＳＴＦフィールドを使用してもよい。局が、ＶＨＴ−ＳＴＦフィールド４０８を正しく処理するために、局は、送信に使用される、送信モード、または、標準規格（例えば、ＩＥＥＥ８０２．１１ｎ、ＩＥＥＥ８０２．１１ａｃ、またはＩＥＥＥ８０２．１１ａ）を知る必要がある。
【００４１】
信号の送信モードについての情報は、超高スループット信号（ＶＨＴ−ＳＩＧ）フィールド中に含められていてもよい。ＶＨＴ−ＳＩＧフィールドは、２つの部分に分割されてもよい。ある態様において、ＶＨＴ−ＳＩＧフィールドの第１および第２の部分のそれぞれは、１つ以上のＯＦＤＭシンボルにわたってもよい。
【００４２】
ＶＨＴ−ＳＩＧの第１の部分４０６は、すべてのユーザの間で共通であり、ビーム形成しなくてもよい。この部分は、受信局に送信モードを通知するために、ダウンリンクフレームにおいて、ＨＴ−ＳＩＧ２ ４０４の後に到達してもよい。
【００４３】
ＶＨＴ−ＳＩＧフィールドの第２の部分４１２は、各ＳＴＡに対して特有であり、それゆえ、ビーム形成される。ある態様において、図４Ａ中で図示されているように、ＶＨＴ−ＳＩＧの第２の部分４１２は、すべての局に対して、第１の長トレーニングフィールド（ＬＴＦ）の後に送信されてもよい。ある態様において、図４Ｂ中で図示されているように、ＶＨＴ−ＳＩＧフィールドの第２の部分４１２は、すべての長トレーニングフィールドが送信された後に、局に送信されてもよい。
【００４４】
図４Ｂは、本開示のある態様にしたがった、超高スループット（ＶＨＴ）ダウンリンクＭＵ−ＭＩＭＯシステムに対して提案するフレーム構造を図示している。この図面では、フレームのほとんどが図４Ａに類似している。図４Ａと図４Ｂとの間の唯一の違いは、ＶＨＴ−ＳＩＧフィールドの第２の部分４１２の位置である。図４Ｂでは、ＶＨＴ−ＳＩＧフィールドの第２の部分４１２は、その局に割り当てられたすべての長トレーニングフィールドに後続して、各局に送信される。
【００４５】
図４Ａおよび４Ｂ中に図示されているように、単一の空間ストリームが、ユーザ１ないし４に割り当てられる。それゆえ、各ユーザは、ＶＨＴ−ＳＴＦフィールド４０８を受信した後に、単一のＬＴＦフィールド４１０を受信する。一方、４つの空間ストリームが、ユーザ５に割り当てられており、それゆえ、ユーザ５は、１つが空間ストリームのそれぞれに対応する４つのＬＴＦフィールド４１０を受信する。本開示のある態様において、受信機において、各空間ストリームに対するチャネルを推定するために、少なくとも１つのＬＴＦを利用することができる。
【００４６】
ある態様にしたがうと、“トレーニングシーケンス”が生じることがあり、ここで、ＡＰが局のそれぞれに対する“署名”を取得することが可能である。各局が、ＶＨＴ−ＳＩＧフィールドのその対応する第２の部分を認識できるように、ＡＰは、これらの署名を使用してビーム形成を実行してもよい。
【００４７】
本開示のある態様において、ダウンリンクＳＤＭＡでは、ＶＨＴ−ＬＴＦ１フィールドの後に受信される、ＶＨＴ−ＳＩＧフィールドの第１の部分は、残りのＬＴＦフィールドの数と、送信において使用する変調およびコーディングスキーム（ＭＣＳ）とを示してもよい。アップリンクＳＤＭＡでは、ＶＨＴ−ＳＩＧフィールドが、すべてのＬＴＦフィールドの後に受信されて、アクセスポイントへのアップリンク送信に対して使用するＭＣＳを示してもよい。
【００４８】
アップリンクＳＤＭＡおよびダウンリンクＳＤＭＡの双方において、ＶＨＴ−ＳＩＧフィールドの第１の部分は、ＶＨＴ−ＳＴＦフィールドの受信の前に受信される。それゆえ、受信機は、ＶＨＴ−ＳＴＦフィールドを受信する前に、ＶＨＴ−ＳＩＧフィールドをデコードして、送信モード（すなわち、ＩＥＥＥ８０２．１１ａｃ／ａ／ｎ）を検出する。結果として、ＶＨＴ−ＳＴＦフィールド４０６の開始の時間において、局は、送信モードが、ＩＥＥＥ８０２．１１ａｃ、ＩＥＥＥ８０２．１１ａ、またはＩＥＥＥ８０２．１１ｎの標準規格に準拠しているか否かを知る。
【００４９】
図５は、本開示のある態様にしたがった、超高スループット（ＶＨＴ）アップリンクＭＵ−ＭＩＭＯシステムに対して提案するフレーム構造を図示している。このフレーム構造では、ダウンリンクに類似して、ＶＨＴ−ＳＩＧフィールドの第１の部分４０６が、ＨＴ−ＳＩＧ２フィールド４０４の後に送信される。ＶＨＴ−ＳＩＧフィールドの第２の部分４１２は、すべてのＬＴＦが送信された後に、送信される（図４Ｂに類似）。このフレーム構造中の残りのフィールドは、図４Ａおよび４Ｂ中に図示されているダウンリンクフレームに類似している。
【００５０】
本開示のある態様において、アップリンクおよびダウンリンクに対して統一されたフレーム構造を利用して、受信機が送信モード（すなわち、ＩＥＥＥ８０２．１１ｎ／ａ／ａｃ）を検出できるようにしてもよい。（図４Ｂおよび図５中に示されているような）統一されたフレーム構造は、２つの部分に分割されているＶＨＴ−ＳＩＧフィールドを含んでいてもよい。ＶＨＴ−ＳＩＧフィールドの第１の部分は、すべてのユーザの間で共通であってもよく、ＶＨＴ−ＳＩＧフィールドの第２の部分は、各ユーザに対して特有であってもよい。ある態様において、統一されたアップリンク−ダウンリンクフレーム構造に対して、アップリンクとダウンリンクとの間の均一性を可能にするために、ＶＨＴ−ＳＩＧフィールドの第２の部分は、すべてのＶＨＴ−ＬＴＦフィールドの後に送信されてもよい。
【００５１】
本開示のある態様において、アップリンクおよびダウンリンクの双方に対して統一されたフレーム構造を利用するシステム中で、ダウンリンクにおいてフレームを受信する局は、オート検出を実行して、ＶＨＴ−ＬＴＦ１フィールドの後のシンボルが、ＶＨＴ−ＳＩＧフィールドの第２の部分、または、ＬＴＦフィールドであるかを決定してもよい。局は、この目的のために、既存のＨＴ−ＳＩＧ検出アルゴリズムのうちの１つを使用してもよい。それゆえ、追加的なハードウェアを必要としない。ＶＨＴ−ＳＩＧフィールドの第２の部分を検出することにより、局は、すべての長トレーニングフィールドが受信されたことを知り、局に割り当てられた異なるＬＴＦフィールドの数をカウントすることができる。
【００５２】
ある態様において、ＶＨＴ−ＳＩＧフィールドの第１の部分はまた、送信モード（例えば、ＤＬ−ＳＤＭＡ、ＵＬ−ＳＤＭＡ、またはＭＩＭＯ８０２．１１ａｃ）と、帯域幅（例えば、２０／４０／８０ＭＨｚ）と、他の共通パラメータとについての情報を、ＩＥＥＥ８０２．１１ａｃ標準規格を利用する受信機に提供し、他の共通パラメータは、総送信長、デリメタまたはゼロバディングの使用、すべての空間ストリームの間でのＬＴＦの最大数または最長ＭＵ−ＭＩＭＯ送信時間、ならびに他のパラメータのようなものである。総送信長は、ＨＴ−ＳＩＧフィールド中に既に含まれているかもしれないが、ＩＥＥＥ８０２．１１ｎを利用する受信機とＩＥＥＥ８０２．１１ａｃを利用する受信機とが、異なる期間の間スプーフィングされる場合には、別個の長さが必要とされるかもしれない。
【００５３】
ＶＨＴ−ＳＩＧフィールドの第１の部分を受信した後に、局は、ＶＨＴ−ＳＩＧフィールドの第１の部分を利用することにより、送信モードを検出してもよい。ある態様において、局は、モード検出に対して、特殊な配置（例えば、回転された２位相シフトキーイング（ＢＰＳＫ））を用いてもよい。例えば、送信モード情報は、ＶＨＴ−ＳＩＧフィールドの送信において使用する配列に直交する軸上で送信してもよい。
【００５４】
図６は、本開示のある態様にしたがった、モード検出に対して適切なフレームを送信するための例示的な動作６００を図示している。６０２において、送信機は、信号（ＳＩＧ）フィールドを含むフレーム構造を発生させる。６０４において、送信機は、フレーム構造のＳＩＧフィールドの第１の部分を送信する。第１の部分は、複数のユーザに対して共通であり、フレーム構造の送信モードは、ＳＩＧフィールドの第１の部分に基づいて検出される。６０６において、送信機は、マルチユーザビーム形成を使用して、複数のユーザにＳＴＦを送信してもよい。ＳＴＦは、ＳＩＧフィールドの第１の部分の後に送信される。
【００５５】
６０８において、送信機は、マルチユーザビーム形成を使用して、フレーム構造のＬＴＦを送信してもよい。６１０において、送信機は、フレーム構造のＳＩＧフィールドの第２の部分を送信する。第２の部分は、複数のユーザのそれぞれに対して特有である。ＳＩＧフィールドの第２の部分は、各ユーザに対してビーム形成され、ＬＴＦの後に送信されてもよい。
【００５６】
ある態様において、ＳＩＧフィールドの第２の部分は、各ユーザに対する、ＭＣＳと送信長とを含んでいてもよい。加えて、ＳＩＧフィールドの第２の部分は、単一の空間ストリームＭＣＳを利用することにより、送信されてもよい。
【００５７】
図７は、本開示のある態様にしたがった、受信機において、受信信号の送信モードを検出する例示的な動作７００を図示している。７０２において、受信機は、フレーム構造のＳＩＧフィールドの第１の部分を受信し、ＳＩＧフィールドは、複数の装置に対して共通である第１の部分と、各装置に対して特有である第２の部分とを含む。７０４において、受信機は、ＳＩＧフィールドの第１の部分に基づいて、フレーム構造の送信モードを決定する。送信モードは、ＩＥＥＥ８０２．１１ａｃ／ｎ／ａ標準規格のうちの少なくとも１つに準拠している。７０６において、受信機は、送信モードに基づいて、フレーム構造の残りのパートを受信する。送信モードは、ＩＥＥＥ８０２．１１ａｃ／ａ／ｎ標準規格を含んでいてもよい。
【００５８】
本開示のある態様は、受信機が、送信モードを検出して、受信信号を正しく処理できるように、フレームのプリアンブル中に、信号の送信モードについての情報を含める技術を提案する。
【００５９】
上述した方法のさまざまな動作は、対応する機能を実行する能力がある何らかの適切な手段により実行することができる。手段は、これらに限定されないが、回路、特定用途向け集積回路（ＡＳＩＣ）、またはプロセッサを含む、さまざまな、ハードウェアコンポーネントおよび／またはソフトウェアコンポーネント、ならびに／あるいはモジュールを含む。一般的に、図面中に動作が図示されている場合、それらの動作は、類似したナンバリングを持つ対応するよく似たミーンズプラスファンクションコンポーネントを有する。例えば、図６中のブロック６０２〜６１０は、図６Ａ中に図示されている回路ブロック６０２Ａ〜６１０Ａに対応している。加えて、図７中のブロック７０２〜７０６は、図７Ａ中に図示されている回路ブロック７０２Ａ〜７０６Ａに対応している。
【００６０】
ある態様において、受信する手段は、受信機を備え、送信する手段は、送信機を備え、送信モードを決定する手段は、信号の送信モードを決定するように構成されている回路を備える。
【００６１】
上述した方法のさまざまな動作は、さまざまな、ハードウェアコンポーネントおよび／またはソフトウェアコンポーネント、回路、ならびに／あるいはモジュールのような、動作を実行する能力がある何らかの適切な手段により実行することができる。一般的に、図面中に図示されている何らかの動作は、動作を実行する能力がある対応する機能的手段により実行することができる。
【００６２】
ここで使用したように、“決定する”という用語は、幅広いさまざまなアクションを含んでいる。例えば、“決定する”は、算出する、計算する、処理する、導出する、調べる、検索する（例えば、表、データベース、または、別のデータ構造中において検索する）、把握する、および、これらに類するものを含むことができる。また、“決定する”は、受信する（例えば、情報を受信する）、アクセスする（例えば、メモリ中のデータにアクセスする）、およびこれらに類するものを含むことができる。さらに、“決定する”は、解決する、選択する、選ぶ、確立する、およびこれらに類するものを含むことができる。
【００６３】
ここで使用したように、“ＡまたはＢのうちの少なくとも１つ”というフレーズは、ＡおよびＢの何らかの組み合わせを含むことを意味している。言い換えると、“ＡまたはＢのうちの少なくとも１つ”は、以下の組を含む：［Ａ］、［Ｂ］、および［Ａ、Ｂ］。
【００６４】
本開示と関連して述べたさまざまな例示的な論理ブロック、モジュール、および回路は、汎用プロセッサ、デジタル信号プロセッサ（ＤＳＰ）、特定用途向け集積回路（ＡＳＩＣ）、現場プログラム可能ゲートアレイ信号（ＦＰＧＡ）または他のプログラム可能論理デバイス、ディスクリートゲートまたはトランジスタ論理、ディスクリートハードウェアコンポーネント、あるいは、ここで記述した機能を実行するように設計されているこれらの任意の組み合わせたものにより、実現または実行してもよい。汎用プロセッサはマイクロプロセッサであってもよいが、代替実施形態では、プロセッサは、任意の商業上利用可能なプロセッサ、制御装置、マイクロ制御装置、または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのような構成のような、コンピューティングデバイスを組み合わせたものとして実現してもよい。
【００６５】
本開示に関連して述べた方法またはアルゴリズムのステップは、ハードウェアで、プロセッサにより実行されるソフトウェアモジュールで、あるいは、双方を組み合わせたもので直接的に具現化してもよい。ソフトウェアモジュールは、技術的に知られている何らかの形態の記憶媒体に存在していてもよい。使用できる記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令、または、多くの命令を備えていてもよく、いくつかの異なるコードセグメント上で、異なるプログラムの間で、および、複数の記憶媒体を介して、分配してもよい。記憶媒体は、プロセッサが記憶媒体から情報を読み取り、記憶媒体に情報を書き込むことができるようにプロセッサに結合してもよい。代替実施形態では、記憶媒体はプロセッサと一体化してもよい。
【００６６】
ここで開示した方法は、記述した方法を達成するための１つ以上のステップまたはアクションを含んでいる。方法のステップおよび／またはアクションは、特許請求の範囲から逸脱することなく、別のものに入れ替えてもよい。言い換えると、ステップまたはアクションの特定の順序が指定されない限り、特定のステップおよび／またはアクションの、順序および／または使用は、特許請求の範囲から逸脱することなく、改良してもよい。
【００６７】
記述した機能は、ハードウェアで、ソフトウェアで、ファームウェアで、または、これらの任意の組み合わせで実現してもよい。ソフトウェアで実現された場合、機能は、１つ以上の命令として、コンピュータ読取可能媒体上に記憶させてもよい。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含んでいてもよい。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。
【００６８】
したがって、ある態様は、ここで提示した動作を実行するためのコンピュータプログラムプロダクトを含んでもよい。例えば、このようなコンピュータプログラムプロダクトは、その上に記憶されている（および／またはエンコードされている）命令を有するコンピュータ読取可能媒体を含み、命令は、ここで記述した動作を実行するために、１つ以上のプロセッサにより実行可能である。ある態様において、コンピュータプログラムプロダクトは、パッケージングマテリアルを含んでもよい。
【００６９】
ソフトウェアまたは命令はまた、送信媒体を通して送信してもよい。例えば、ソフトウェアが、ウェブサイト、サーバ、あるいは同軸ケーブルや、光ファイバケーブルや、撚り対や、デジタル加入者線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００７０】
さらに、ここで述べた方法および技術を実行する、モジュールおよび／または他の適切な手段は、ダウンロードすることができ、ならびに／あるいは、そうでなければ、ユーザ端末および／または基地局により、適用可能に取得することができることを正しく認識すべきである。例えば、このようなデバイスは、サーバに結合することができ、ここで記述した方法を実行する手段の転送を容易にする。代替的に、ここで記述したさまざまな方法は、記憶手段（例えば、ＲＡＭ、ＲＯＭ、コンパクトディスク（ＣＤ）やフロッピーディスク等のような物理的な記憶媒体）を通して提供でき、それにより、ユーザ端末および／または基地局は、記憶手段をデバイスに結合または提供すると、さまざまな方法を取得することができる。さらに、ここで述べた方法および技術をデバイスに提供する他の任意の適切な技術を利用することができる。
【００７１】
特許請求の範囲は、上記で図示した厳密な構成およびコンポーネントに限定されるものではないことを理解すべきである。上述した方法および装置の、配置、動作、および詳細において、特許請求の範囲から逸脱することなく、さまざまな改良、変更、バリエーションを行うことができる。
【００７２】
ここで提供した技術をさまざまなアプリケーション中で利用することができる。ある態様において、ここで提示した技術を、アクセスポイントで、局で、アクセス端末で、移動体ハンドセットで、または、他のタイプのワイヤレスデバイスで、処理論理およびエレメントと組み合わせて、ここで提供した技術を実行することができる。
【００７３】
前述したものは、本開示の態様に向けられているが、その基本的な範囲から逸脱することなく、開示の、他の態様およびさらなる態様を考案することができ、その範囲は、後続する特許請求の範囲により決定されている。
【図１】
2014140188.tif 000003
【図２】
2014140188.tif 000004
【図３】
2014140188.tif 000005
【図４Ａ】
2014140188.tif 000006
【図４Ｂ】
2014140188.tif 000007
【図５】
2014140188.tif 000008
【図６】
2014140188.tif 000009
【図６Ａ】
2014140188.tif 000010
【図７】
2014140188.tif 000011
【図７Ａ】
2014140188.tif 000012
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
信号（ＳＩＧ）フィールドを含むフレーム構造を発生させることと、
前記フレーム構造の前記ＳＩＧフィールドの第１の部分を送信することと、
前記フレーム構造の前記ＳＩＧフィールドの第２の部分を送信することとを含み、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの、前記第１の部分または前記第２の部分は、少なくとも１つの直交周波数分割多重化（ＯＦＤＭ）シンボルを有する方法。
【請求項２】
前記ＳＩＧフィールドの前記第２の部分を送信することは、前記複数の装置に対して前記第２の部分をビーム形成することを含む請求項１記載の方法。
【請求項３】
前記ビーム形成の際に使用する、前記複数の装置に対する署名を取得するためのトレーニングを実行することをさらに含む請求項２記載の方法。
【請求項４】
前記フレーム構造の長トレーニングフィールド（ＬＴＦ）を送信することと、
前記ＬＴＦを送信した後に、前記ＳＩＧフィールドの前記第２の部分を送信することとをさらに含む請求項１記載の方法。
【請求項５】
前記ＳＩＧフィールドの前記第２の部分の送信は、前記長トレーニングフィールドの送信が終了したことを示す請求項４記載の方法。
【請求項６】
前記ＳＩＧフィールドの前記第２の部分は、長トレーニングフィールド（ＬＴＦ）の後に送信される請求項１記載の方法。
【請求項７】
前記複数の装置に短トレーニングフィールド（ＳＴＦ）を送信することをさらに含み、前記ＳＴＦは、前記ＳＩＧフィールドの前記第１の部分の後に送信される請求項１記載の方法。
【請求項８】
前記ＳＴＦは、各装置に対する自動利得制御（ＡＧＣ）設定を調節するために、前記装置により使用される請求項７記載の方法。
【請求項９】
前記ＳＩＧフィールドの前記第２の部分は、前記ＳＩＧフィールドの前記第２の部分の後に続く長トレーニングフィールドの数を示す請求項１記載の方法。
【請求項１０】
前記ＳＩＧフィールドの前記第１の部分は、長トレーニングフィールドの数を示す請求項１記載の方法。
【請求項１１】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を有する請求項１記載の方法。
【請求項１２】
前記ＳＩＧフィールドの前記第２の部分は、変調およびコーディングスキーム（ＭＣＳ）、あるいは、前記装置のそれぞれに対する送信長のうちの少なくとも１つを有する請求項１記載の方法。
【請求項１３】
前記ＳＩＧフィールドの前記第２の部分は、単一の空間ストリームの変調およびコーディングスキーム（ＭＣＳ）を利用することにより送信される請求項１記載の方法。
【請求項１４】
マルチユーザビーム形成を使用することにより、前記装置に複数のシンボルを送信することをさらに含み、前記シンボルは、前記ＳＩＧフィールドの前記第１の部分の後に送信される請求項１記載の方法。
【請求項１５】
ワイヤレス通信のための方法において、
信号（ＳＩＧ）フィールドを含むフレーム構造を発生させることと、
前記フレーム構造の前記ＳＩＧフィールドの第１の部分を送信することと、
前記フレーム構造の前記ＳＩＧフィールドの第２の部分を送信することとを含み、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの前記第２の部分を送信することは、前記複数の装置に対して前記第２の部分をビーム形成することを含む方法。
【請求項１６】
前記ビーム形成の際に使用する、前記複数の装置に対する署名を取得するためのトレーニングを実行することをさらに含む請求項１５記載の方法。
【請求項１７】
前記フレーム構造の長トレーニングフィールド（ＬＴＦ）を送信することと、
前記ＬＴＦを送信した後に、前記ＳＩＧフィールドの前記第２の部分を送信することとをさらに含む請求項１５記載の方法。
【請求項１８】
前記ＳＩＧフィールドの前記第２の部分の送信は、前記長トレーニングフィールドの送信が終了したことを示す請求項１７記載の方法。
【請求項１９】
前記ＳＩＧフィールドの前記第２の部分は、長トレーニングフィールド（ＬＴＦ）の後に送信される請求項１５記載の方法。
【請求項２０】
前記複数の装置に短トレーニングフィールド（ＳＴＦ）を送信することをさらに含み、前記ＳＴＦは、前記ＳＩＧフィールドの前記第１の部分の後に送信される請求項１５記載の方法。
【請求項２１】
前記ＳＴＦは、各装置に対する自動利得制御（ＡＧＣ）設定を調節するために、前記装置により使用される請求項２０記載の方法。
【請求項２２】
前記ＳＩＧフィールドの前記第２の部分は、前記ＳＩＧフィールドの前記第２の部分の後に続く長トレーニングフィールドの数を示す請求項１５記載の方法。
【請求項２３】
前記ＳＩＧフィールドの前記第１の部分は、長トレーニングフィールドの数を示す請求項１５記載の方法。
【請求項２４】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を有する請求項１５記載の方法。
【請求項２５】
前記ＳＩＧフィールドの前記第２の部分は、変調およびコーディングスキーム（ＭＣＳ）、あるいは、前記装置のそれぞれに対する送信長のうちの少なくとも１つを有する請求項１５記載の方法。
【請求項２６】
前記ＳＩＧフィールドの前記第２の部分は、単一の空間ストリームの変調およびコーディングスキーム（ＭＣＳ）を利用することにより送信される請求項１５記載の方法。
【請求項２７】
マルチユーザビーム形成を使用することにより、前記装置に複数のシンボルを送信することをさらに含み、前記シンボルは、前記ＳＩＧフィールドの前記第１の部分の後に送信される請求項１５記載の方法。
【請求項２８】
ワイヤレス通信のための装置において、
信号（ＳＩＧ）フィールドを含むフレーム構造を発生させるように構成されている回路と、
前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの、前記第１の部分または前記第２の部分は、少なくとも１つの直交周波数分割多重化（ＯＦＤＭ）シンボルを含む装置。
【請求項２９】
前記ＳＩＧフィールドの前記第２の部分を送信するように構成されている送信機は、前記複数の装置に対して前記第２の部分をビーム形成するようにも構成されている請求項２８記載の装置。
【請求項３０】
前記ビーム形成の際に使用する、前記複数の装置に対する署名を取得するためのトレーニングを実行するように構成されている回路をさらに具備する請求項２９記載の装置。
【請求項３１】
前記送信機は、前記フレーム構造の長トレーニングフィールド（ＬＴＦ）を送信し、前記ＬＴＦを送信した後に、前記ＳＩＧフィールドの前記第２の部分を送信するようにさらに構成されている請求項２８記載の装置。
【請求項３２】
前記ＳＩＧフィールドの前記第２の部分の送信は、前記長トレーニングフィールドの送信が終了したことを示す請求項３１記載の装置。
【請求項３３】
前記ＳＩＧフィールドの前記第２の部分は、長トレーニングフィールド（ＬＴＦ）の後に送信される請求項２８記載の装置。
【請求項３４】
前記送信機は、前記複数の装置に短トレーニングフィールド（ＳＴＦ）を送信するようにさらに構成され、前記ＳＴＦは、前記ＳＩＧフィールドの前記第１の部分の後に送信される請求項２８記載の装置。
【請求項３５】
前記ＳＴＦは、各装置に対する自動利得制御（ＡＧＣ）設定を調節するために、前記装置により使用される請求項３４記載の装置。
【請求項３６】
前記ＳＩＧフィールドの前記第２の部分は、前記ＳＩＧフィールドの前記第２の部分の後に続く長トレーニングフィールドの数を示す請求項２８記載の装置。
【請求項３７】
前記ＳＩＧフィールドの前記第１の部分は、長トレーニングフィールドの数を示す請求項２８記載の装置。
【請求項３８】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む請求項２８記載の装置。
【請求項３９】
前記ＳＩＧフィールドの前記第２の部分は、変調およびコーディングスキーム（ＭＣＳ）、あるいは、前記装置のそれぞれに対する送信長のうちの少なくとも１つを含む請求項２８記載の装置。
【請求項４０】
前記ＳＩＧフィールドの前記第２の部分は、単一の空間ストリームの変調およびコーディングスキーム（ＭＣＳ）を利用することにより送信される請求項２８記載の装置。
【請求項４１】
前記送信機は、マルチユーザビーム形成を使用することにより、前記装置に複数のシンボルを送信するようにさらに構成され、前記シンボルは、前記ＳＩＧフィールドの前記第１の部分の後に送信される請求項２８記載の装置。
【請求項４２】
ワイヤレス通信のための装置において、
信号（ＳＩＧ）フィールドを含むフレーム構造を発生させるように構成されている回路と、
前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの前記第２の部分を送信するように構成されている送信機は、前記複数の装置に対して前記第２の部分をビーム形成するようにも構成されている装置。
【請求項４３】
前記ビーム形成の際に使用する、前記複数の装置に対する署名を取得するためのトレーニングを実行するように構成されている回路をさらに具備する請求項４２記載の装置。
【請求項４４】
前記送信機は、前記フレーム構造の長トレーニングフィールド（ＬＴＦ）を送信し、前記ＬＴＦを送信した後に、前記ＳＩＧフィールドの前記第２の部分を送信するようにさらに構成されている請求項４２記載の装置。
【請求項４５】
前記ＳＩＧフィールドの前記第２の部分の送信は、前記長トレーニングフィールドの送信が終了したことを示す請求項４４記載の装置。
【請求項４６】
前記ＳＩＧフィールドの前記第２の部分は、長トレーニングフィールド（ＬＴＦ）の後に送信される請求項４２記載の装置。
【請求項４７】
前記送信機は、前記複数の装置に短トレーニングフィールド（ＳＴＦ）を送信するようにさらに構成され、前記ＳＴＦは、前記ＳＩＧフィールドの前記第１の部分の後に送信される請求項４２記載の装置。
【請求項４８】
前記ＳＴＦは、各装置に対する自動利得制御（ＡＧＣ）設定を調節するために、前記装置により使用される請求項４７記載の装置。
【請求項４９】
前記ＳＩＧフィールドの前記第２の部分は、前記ＳＩＧフィールドの前記第２の部分の後に続く長トレーニングフィールドの数を示す請求項４２記載の装置。
【請求項５０】
前記ＳＩＧフィールドの前記第１の部分は、長トレーニングフィールドの数を示す請求項４２記載の装置。
【請求項５１】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む請求項４２記載の装置。
【請求項５２】
前記ＳＩＧフィールドの前記第２の部分は、変調およびコーディングスキーム（ＭＣＳ）、あるいは、前記装置のそれぞれに対する送信長のうちの少なくとも１つを含む請求項４２記載の装置。
【請求項５３】
前記ＳＩＧフィールドの前記第２の部分は、単一の空間ストリームの変調およびコーディングスキーム（ＭＣＳ）を利用することにより送信される請求項４２記載の装置。
【請求項５４】
前記送信機は、マルチユーザビーム形成を使用することにより、前記装置に複数のシンボルを送信するようにさらに構成され、前記シンボルは、前記ＳＩＧフィールドの前記第１の部分の後に送信される請求項４２記載の装置。
【請求項５５】
ワイヤレス通信のための装置において、
信号（ＳＩＧ）フィールドを含むフレーム構造を発生させる手段と、
前記フレーム構造の前記ＳＩＧフィールドの第１の部分を送信する手段とを具備し、
前記送信する手段は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの、前記第１の部分または前記第２の部分は、少なくとも１つの直交周波数分割多重化（ＯＦＤＭ）シンボルを含む装置。
【請求項５６】
前記ＳＩＧフィールドの前記第２の部分を送信する手段は、前記複数の装置に対して前記第２の部分をビーム形成するようにさらに構成されている請求項５５記載の装置。
【請求項５７】
前記ビーム形成の際に使用する、前記複数の装置に対する署名を取得するためのトレーニングを実行する手段をさらに具備する請求項５６記載の装置。
【請求項５８】
前記送信する手段は、前記フレーム構造の長トレーニングフィールド（ＬＴＦ）を送信し、前記ＬＴＦを送信した後に、前記ＳＩＧフィールドの前記第２の部分を送信するようにさらに構成されている請求項５５記載の装置。
【請求項５９】
前記ＳＩＧフィールドの前記第２の部分の送信は、前記長トレーニングフィールドの送信が終了したことを示す請求項５８記載の装置。
【請求項６０】
前記ＳＩＧフィールドの前記第２の部分は、長トレーニングフィールド（ＬＴＦ）の後に送信される請求項５５記載の装置。
【請求項６１】
前記送信する手段は、前記複数の装置に短トレーニングフィールド（ＳＴＦ）を送信するようにさらに構成され、前記ＳＴＦは、前記ＳＩＧフィールドの前記第１の部分の後に送信される請求項５５記載の装置。
【請求項６２】
前記ＳＴＦは、各装置に対する自動利得制御（ＡＧＣ）設定を調節するために、前記装置により使用される請求項６１記載の装置。
【請求項６３】
前記ＳＩＧフィールドの前記第２の部分は、前記ＳＩＧフィールドの前記第２の部分の後に続く長トレーニングフィールドの数を示す請求項５５記載の装置。
【請求項６４】
前記ＳＩＧフィールドの前記第１の部分は、長トレーニングフィールドの数を示す請求項５５記載の装置。
【請求項６５】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む請求項５５記載の装置。
【請求項６６】
前記ＳＩＧフィールドの前記第２の部分は、変調およびコーディングスキーム（ＭＣＳ）、あるいは、前記装置のそれぞれに対する送信長のうちの少なくとも１つを含む請求項５５記載の装置。
【請求項６７】
前記ＳＩＧフィールドの前記第２の部分は、単一の空間ストリームの変調およびコーディングスキーム（ＭＣＳ）を利用することにより送信される請求項５５記載の装置。
【請求項６８】
前記送信する手段は、マルチユーザビーム形成を使用することにより、前記装置に複数のシンボルを送信するようにさらに構成され、前記シンボルは、前記ＳＩＧフィールドの前記第１の部分の後に送信される請求項５５記載の装置。
【請求項６９】
ワイヤレス通信のための装置において、
信号（ＳＩＧ）フィールドを含むフレーム構造を発生させる手段と、
前記フレーム構造の前記ＳＩＧフィールドの第１の部分を送信する手段とを具備し、
前記送信する手段は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの前記第２の部分を送信する手段は、前記複数の装置に対して前記第２の部分をビーム形成するようにさらに構成されている装置。
【請求項７０】
前記ビーム形成の際に使用する、前記複数の装置に対する署名を取得するためのトレーニングを実行する手段をさらに具備する請求項６９記載の装置。
【請求項７１】
前記送信する手段は、前記フレーム構造の長トレーニングフィールド（ＬＴＦ）を送信し、前記ＬＴＦを送信した後に、前記ＳＩＧフィールドの前記第２の部分を送信するようにさらに構成されている請求項６９記載の装置。
【請求項７２】
前記ＳＩＧフィールドの前記第２の部分の送信は、前記長トレーニングフィールドの送信が終了したことを示す請求項７１記載の装置。
【請求項７３】
前記ＳＩＧフィールドの前記第２の部分は、長トレーニングフィールド（ＬＴＦ）の後に送信される請求項６９記載の装置。
【請求項７４】
前記送信する手段は、前記複数の装置に短トレーニングフィールド（ＳＴＦ）を送信するようにさらに構成され、前記ＳＴＦは、前記ＳＩＧフィールドの前記第１の部分の後に送信される請求項６９記載の装置。
【請求項７５】
前記ＳＴＦは、各装置に対する自動利得制御（ＡＧＣ）設定を調節するために、前記装置により使用される請求項７４記載の装置。
【請求項７６】
前記ＳＩＧフィールドの前記第２の部分は、前記ＳＩＧフィールドの前記第２の部分の後に続く長トレーニングフィールドの数を示す請求項６９記載の装置。
【請求項７７】
前記ＳＩＧフィールドの前記第１の部分は、長トレーニングフィールドの数を示す請求項６９記載の装置。
【請求項７８】
前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む請求項６９記載の装置。
【請求項７９】
前記ＳＩＧフィールドの前記第２の部分は、変調およびコーディングスキーム（ＭＣＳ）、あるいは、前記装置のそれぞれに対する送信長のうちの少なくとも１つを含む請求項６９記載の装置。
【請求項８０】
前記ＳＩＧフィールドの前記第２の部分は、単一の空間ストリームの変調およびコーディングスキーム（ＭＣＳ）を利用することにより送信される請求項６９記載の装置。
【請求項８１】
前記送信する手段は、マルチユーザビーム形成を使用することにより、前記装置に複数のシンボルを送信するようにさらに構成され、前記シンボルは、前記ＳＩＧフィールドの前記第１の部分の後に送信される請求項６９記載の装置。
【請求項８２】
ワイヤレス通信のためのコンピュータ読取可能記憶媒体において、
前記コンピュータ読取可能記憶媒体は、
信号（ＳＩＧ）フィールドを含むフレーム構造を発生させるために実行可能な命令と、
前記フレーム構造の前記ＳＩＧフィールドの第１の部分を送信するために実行可能な命令と、
前記フレーム構造の前記ＳＩＧフィールドの第２の部分を送信するために実行可能な命令とを有し、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの、前記第１の部分または前記第２の部分は、少なくとも１つの直交周波数分割多重化（ＯＦＤＭ）シンボルを有するコンピュータ読取可能記憶媒体。
【請求項８３】
ワイヤレス通信のためのコンピュータ読取可能記憶媒体において、
前記コンピュータ読取可能記憶媒体は、
信号（ＳＩＧ）フィールドを含むフレーム構造を発生させるために実行可能な命令と、
前記フレーム構造の前記ＳＩＧフィールドの第１の部分を送信するために実行可能な命令と、
前記フレーム構造の前記ＳＩＧフィールドの第２の部分を送信するために実行可能な命令とを有し、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの前記第２の部分を送信するために実行可能な命令は、前記複数の装置に対して前記第２の部分をビーム形成するために実行可能な命令を含むコンピュータ読取可能記憶媒体。
【請求項８４】
ワイヤレス通信のためのアクセスポイントにおいて、
複数のアンテナと、
信号（ＳＩＧ）フィールドを含むフレーム構造を発生させるように構成されている回路と、
前記複数のアンテナを通して、前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの、前記第１の部分または前記第２の部分は、少なくとも１つの直交周波数分割多重化（ＯＦＤＭ）シンボルを含むアクセスポイント。
【請求項８５】
ワイヤレス通信のためのアクセスポイントにおいて、
複数のアンテナと、
信号（ＳＩＧ）フィールドを含むフレーム構造を発生させるように構成されている回路と、
前記複数のアンテナを通して、前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であり、
前記ＳＩＧフィールドの前記第２の部分を送信するように構成されている送信機は、前記複数の装置に対して前記第２の部分をビーム形成するようにも構成されているアクセスポイント。
【手続補正２】
【補正対象書類名】明細書
【補正対象項目名】００７３
【補正方法】変更
【補正の内容】
【００７３】
前述したものは、本開示の態様に向けられているが、その基本的な範囲から逸脱することなく、開示の、他の態様およびさらなる態様を考案することができ、その範囲は、後続する特許請求の範囲により決定されている。
以下に、本願出願の当初の特許請求の範囲に記載された発明を付記する。
［１］ワイヤレス通信のための方法において、
フレーム構造の信号（ＳＩＧ）フィールドの第１の部分を受信することと、
前記ＳＩＧフィールドの前記第１の部分に基づいて、前記フレーム構造の送信モードを決定することと、
前記送信モードに基づいて、前記フレーム構造の残りのパートを受信することとを含み、
前記ＳＩＧフィールドは、複数の装置に対して共通である前記第１の部分と、各装置に対して特有である第２の部分とを有する方法。
［２］前記ＳＩＧフィールドを受信する際に使用する配列と直交する軸上で、送信モード情報が受信される［１］の方法。
［３］前記ＳＩＧフィールドの、前記第１の部分または前記第２の部分は、少なくとも１つの直交周波数分割多重化（ＯＦＤＭ）シンボルを有する［１］の方法。
［４］前記送信モードは、電気電子技術者協会（ＩＥＥＥ）８０２．１１標準規格のうちの少なくとも１つに準拠している［１］の方法。
［５］前記送信モードに基づいて、前記ＳＩＧフィールドの前記第１の部分中の１つ以上のビットを解釈することをさらに含む［１］の方法。
［６］前記ＳＩＧフィールドの前記第１の部分は、前記フレーム構造の長トレーニングフィールドの数を示す［１］の方法。
［７］前記フレーム構造の残りのパートを受信することは、
前記フレーム構造の１つ以上の長トレーニングフィールドを受信することと、
前記ＳＩＧフィールドの前記第２の部分を受信することとを含む［１］の方法。
［８］前記ＳＩＧフィールドの前記第２の部分の受信の前に受信した前記長トレーニングフィールドの数をカウントすることにより、前記長トレーニングフィールドの数を識別することをさらに含む［７］の方法。
［９］前記長トレーニングフィールドを利用することにより、複数の空間ストリームに対する少なくとも１つのチャネルを推定することをさらに含む［７］の方法。
［１０］前記送信モードに基づいて、自動利得制御（ＡＧＣ）を設定することをさらに含む［１］の方法。
［１１］ワイヤレス通信のための方法において、
信号（ＳＩＧ）フィールドを含むフレーム構造を発生させることと、
前記フレーム構造の前記ＳＩＧフィールドの第１の部分を送信することと、
前記フレーム構造の前記ＳＩＧフィールドの第２の部分を送信することとを含み、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有である方法。
［１２］前記ＳＩＧフィールドの、前記第１の部分または前記第２の部分は、少なくとも１つの直交周波数分割多重化（ＯＦＤＭ）シンボルを有する［１１］の方法。
［１３］前記ＳＩＧフィールドの前記第２の部分を送信することは、前記複数の装置に対して前記第２の部分をビーム形成することを含む［１１］の方法。
［１４］前記ビーム形成の際に使用する、前記複数の装置に対する署名を取得するためのトレーニングを実行することをさらに含む［１３］の方法。
［１５］前記フレーム構造の長トレーニングフィールド（ＬＴＦ）を送信することと、
前記ＬＴＦを送信した後に、前記ＳＩＧフィールドの前記第２の部分を送信することとをさらに含む［１１］の方法。
［１６］前記ＳＩＧフィールドの前記第２の部分の送信は、前記長トレーニングフィールドの送信が終了したことを示す［１５］の方法。
［１７］前記ＳＩＧフィールドの前記第２の部分は、長トレーニングフィールド（ＬＴＦ）の後に送信される［１１］の方法。
［１８］前記複数の装置に短トレーニングフィールド（ＳＴＦ）を送信することをさらに含み、前記ＳＴＦは、前記ＳＩＧフィールドの前記第１の部分の後に送信される［１１］の方法。
［１９］前記ＳＴＦは、各装置に対する自動利得制御（ＡＧＣ）設定を調節するために、前記装置により使用される［１８］の方法。
［２０］前記ＳＩＧフィールドの前記第２の部分は、前記ＳＩＧフィールドの前記第２の部分の後に続く長トレーニングフィールドの数を示す［１１］の方法。
［２１］前記ＳＩＧフィールドの前記第１の部分は、長トレーニングフィールドの数を示す［１１］の方法。
［２２］前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を有する［１１］の方法。
［２３］前記ＳＩＧフィールドの前記第２の部分は、変調およびコーディングスキーム（ＭＣＳ）、あるいは、前記装置のそれぞれに対する送信長のうちの少なくとも１つを有する［１１］の方法。
［２４］前記ＳＩＧフィールドの前記第２の部分は、単一の空間ストリームの変調およびコーディングスキーム（ＭＣＳ）を利用することにより送信される［１１］の方法。
［２５］マルチユーザビーム形成を使用することにより、前記装置に複数のシンボルを送信することをさらに含み、前記シンボルは、前記ＳＩＧフィールドの前記第１の部分の後に送信される［１１］の方法。
［２６］ワイヤレス通信のための装置において、
フレーム構造の信号（ＳＩＧ）フィールドの第１の部分を受信するように構成されている受信機と、
前記ＳＩＧフィールドの前記第１の部分に基づいて、前記フレーム構造の送信モードを決定するように構成されている回路とを具備し、
前記受信機は、前記送信モードに基づいて、前記フレーム構造の残りのパートを受信するようにさらに構成され、
前記ＳＩＧフィールドは、複数の装置に対して共通である前記第１の部分と、各装置に対して特有である第２の部分とを含む装置。
［２７］前記ＳＩＧフィールドを受信する際に使用する配列と直交する軸上で、送信モード情報が受信される［２６］の装置。
［２８］前記ＳＩＧフィールドの、前記第１の部分または前記第２の部分は、少なくとも１つの直交周波数分割多重化（ＯＦＤＭ）シンボルを含む［２６］の装置。
［２９］前記送信モードは、電気電子技術者協会（ＩＥＥＥ）８０２．１１標準規格のうちの少なくとも１つに準拠している［２６］の装置。
［３０］前記送信モードに基づいて、前記ＳＩＧフィールドの前記第１の部分中の１つ以上のビットを解釈するように構成されている回路をさらに具備する［２６］の装置。
［３１］前記ＳＩＧフィールドの前記第１の部分は、前記フレーム構造の長トレーニングフィールドの数を示す［２６］の装置。
［３２］前記フレーム構造の残りのパートを受信するように構成されている受信機は、前記フレーム構造の１つ以上の長トレーニングフィールドを受信し、前記ＳＩＧフィールドの前記第２の部分を受信するようにさらに構成されている［２６］の装置。
［３３］前記ＳＩＧフィールドの前記第２の部分の受信の前に受信した前記長トレーニングフィールドの数をカウントすることにより、前記長トレーニングフィールドの数を識別するように構成されている回路をさらに具備する［３２］の装置。
［３４］前記長トレーニングフィールドを利用することにより、複数の空間ストリームに対する少なくとも１つのチャネルを推定するように構成されている回路をさらに具備する［３２］の装置。
［３５］前記送信モードに基づいて、自動利得制御（ＡＧＣ）を設定するように構成されている回路をさらに具備する［２６］の装置。
［３６］ワイヤレス通信のための装置において、
信号（ＳＩＧ）フィールドを含むフレーム構造を発生させるように構成されている回路と、
前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有である装置。
［３７］前記ＳＩＧフィールドの、前記第１の部分または前記第２の部分は、少なくとも１つの直交周波数分割多重化（ＯＦＤＭ）シンボルを含む［３６］の装置。
［３８］前記ＳＩＧフィールドの前記第２の部分を送信するように構成されている送信機は、前記複数の装置に対して前記第２の部分をビーム形成するようにも構成されている［３６］の装置。
［３９］前記ビーム形成の際に使用する、前記複数の装置に対する署名を取得するためのトレーニングを実行するように構成されている回路をさらに具備する［３８］の装置。
［４０］前記送信機は、前記フレーム構造の長トレーニングフィールド（ＬＴＦ）を送信し、前記ＬＴＦを送信した後に、前記ＳＩＧフィールドの前記第２の部分を送信するようにさらに構成されている［３６］の装置。
［４１］前記ＳＩＧフィールドの前記第２の部分の送信は、前記長トレーニングフィールドの送信が終了したことを示す［４０］の装置。
［４２］前記ＳＩＧフィールドの前記第２の部分は、長トレーニングフィールド（ＬＴＦ）の後に送信される［３６］の装置。
［４３］前記送信機は、前記複数の装置に短トレーニングフィールド（ＳＴＦ）を送信するようにさらに構成され、前記ＳＴＦは、前記ＳＩＧフィールドの前記第１の部分の後に送信される［３６］の装置。
［４４］前記ＳＴＦは、各装置に対する自動利得制御（ＡＧＣ）設定を調節するために、前記装置により使用される［４３］の装置。
［４５］前記ＳＩＧフィールドの前記第２の部分は、前記ＳＩＧフィールドの前記第２の部分の後に続く長トレーニングフィールドの数を示す［３６］の装置。
［４６］前記ＳＩＧフィールドの前記第１の部分は、長トレーニングフィールドの数を示す［３６］の装置。
［４７］前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む［３６］の装置。
［４８］前記ＳＩＧフィールドの前記第２の部分は、変調およびコーディングスキーム（ＭＣＳ）、あるいは、前記装置のそれぞれに対する送信長のうちの少なくとも１つを含む［３６］の装置。
［４９］前記ＳＩＧフィールドの前記第２の部分は、単一の空間ストリームの変調およびコーディングスキーム（ＭＣＳ）を利用することにより送信される［３６］の装置。
［５０］前記送信機は、マルチユーザビーム形成を使用することにより、前記装置に複数のシンボルを送信するようにさらに構成され、前記シンボルは、前記ＳＩＧフィールドの前記第１の部分の後に送信される［３６］の装置。
［５１］ワイヤレス通信のための装置において、
フレーム構造の信号（ＳＩＧ）フィールドの第１の部分を受信する手段と、
前記ＳＩＧフィールドの前記第１の部分に基づいて、前記フレーム構造の送信モードを決定する手段とを具備し、
前記受信する手段は、前記送信モードに基づいて、前記フレーム構造の残りのパートを受信するようにさらに構成され、
前記ＳＩＧフィールドは、複数の装置に対して共通である前記第１の部分と、各装置に対して特有である第２の部分とを含む装置。
［５２］前記ＳＩＧフィールドを受信する際に使用する配列と直交する軸上で、送信モード情報が受信される［５１］の装置。
［５３］前記ＳＩＧフィールドの、前記第１の部分または前記第２の部分は、少なくとも１つの直交周波数分割多重化（ＯＦＤＭ）シンボルを含む［５１］の装置。
［５４］前記送信モードは、電気電子技術者協会（ＩＥＥＥ）８０２．１１標準規格のうちの少なくとも１つに準拠している［５１］の装置。
［５５］前記送信モードに基づいて、前記ＳＩＧフィールドの前記第１の部分中の１つ以上のビットを解釈する手段をさらに具備する［５１］の装置。
［５６］前記ＳＩＧフィールドの前記第１の部分は、前記フレーム構造の長トレーニングフィールドの数を示す［５１］の装置。
［５７］前記フレーム構造の残りのパートを受信する手段は、前記フレーム構造の１つ以上の長トレーニングフィールドを受信し、前記ＳＩＧフィールドの前記第２の部分を受信するようにさらに構成されている［５１］の装置。
［５８］前記ＳＩＧフィールドの前記第２の部分の受信の前に受信した前記長トレーニングフィールドの数をカウントすることにより、前記長トレーニングフィールドの数を識別する手段をさらに具備する［５７］の装置。
［５９］前記長トレーニングフィールドを利用することにより、複数の空間ストリームに対する少なくとも１つのチャネルを推定する手段をさらに具備する［５７］の装置。
［６０］前記送信モードに基づいて、自動利得制御（ＡＧＣ）を設定する手段をさらに具備する［５１］の装置。
［６１］ワイヤレス通信のための装置において、
信号（ＳＩＧ）フィールドを含むフレーム構造を発生させる手段と、
前記フレーム構造の前記ＳＩＧフィールドの第１の部分を送信する手段とを具備し、
前記送信する手段は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有である装置。
［６２］前記ＳＩＧフィールドの、前記第１の部分または前記第２の部分は、少なくとも１つの直交周波数分割多重化（ＯＦＤＭ）シンボルを含む［６１］の装置。
［６３］前記ＳＩＧフィールドの前記第２の部分を送信する手段は、前記複数の装置に対して前記第２の部分をビーム形成するようにさらに構成されている［６１］の装置。
［６４］前記ビーム形成の際に使用する、前記複数の装置に対する署名を取得するためのトレーニングを実行する手段をさらに具備する［６３］の装置。
［６５］前記送信する手段は、前記フレーム構造の長トレーニングフィールド（ＬＴＦ）を送信し、前記ＬＴＦを送信した後に、前記ＳＩＧフィールドの前記第２の部分を送信するようにさらに構成されている［６１］の装置。
［６６］前記ＳＩＧフィールドの前記第２の部分の送信は、前記長トレーニングフィールドの送信が終了したことを示す［６５］の装置。
［６７］前記ＳＩＧフィールドの前記第２の部分は、長トレーニングフィールド（ＬＴＦ）の後に送信される［６１］の装置。
［６８］前記送信する手段は、前記複数の装置に短トレーニングフィールド（ＳＴＦ）を送信するようにさらに構成され、前記ＳＴＦは、前記ＳＩＧフィールドの前記第１の部分の後に送信される［６１］の装置。
［６９］前記ＳＴＦは、各装置に対する自動利得制御（ＡＧＣ）設定を調節するために、前記装置により使用される［６８］の装置。
［７０］前記ＳＩＧフィールドの前記第２の部分は、前記ＳＩＧフィールドの前記第２の部分の後に続く長トレーニングフィールドの数を示す［６１］の装置。
［７１］前記ＳＩＧフィールドの前記第１の部分は、長トレーニングフィールドの数を示す［６１］の装置。
［７２］前記ＳＩＧフィールドの前記第１の部分は、前記送信の帯域幅、変調およびコーディングスキーム、あるいは、すべての空間ストリームの間で最長のマルチユーザ複数入力複数出力（ＭＵ−ＭＩＭＯ）送信の長さ、のうちの少なくとも１つについての情報を含む［６１］の装置。
［７３］前記ＳＩＧフィールドの前記第２の部分は、変調およびコーディングスキーム（ＭＣＳ）、あるいは、前記装置のそれぞれに対する送信長のうちの少なくとも１つを含む［６１］の装置。
［７４］前記ＳＩＧフィールドの前記第２の部分は、単一の空間ストリームの変調およびコーディングスキーム（ＭＣＳ）を利用することにより送信される［６１］の装置。
［７５］前記送信する手段は、マルチユーザビーム形成を使用することにより、前記装置に複数のシンボルを送信するようにさらに構成され、前記シンボルは、前記ＳＩＧフィールドの前記第１の部分の後に送信される［６１］の装置。
［７６］ワイヤレス通信のためのコンピュータプログラムプロダクトにおいて、
コンピュータ読取可能媒体を含み、
前記コンピュータ読取可能媒体は、
フレーム構造の信号（ＳＩＧ）フィールドの第１の部分を受信するために実行可能な命令と、
前記ＳＩＧフィールドの前記第１の部分に基づいて、前記フレーム構造の送信モードを決定するために実行可能な命令と、
前記送信モードに基づいて、前記フレーム構造の残りのパートを受信するために実行可能な命令とを有し、
前記ＳＩＧフィールドは、複数の装置に対して共通である前記第１の部分と、各装置に対して特有である第２の部分とを有するコンピュータプログラムプロダクト。
［７７］ワイヤレス通信のためのコンピュータプログラムプロダクトにおいて、
コンピュータ読取可能媒体を含み、
前記コンピュータ読取可能媒体は、
信号（ＳＩＧ）フィールドを含むフレーム構造を発生させるために実行可能な命令と、
前記フレーム構造の前記ＳＩＧフィールドの第１の部分を送信するために実行可能な命令と、
前記フレーム構造の前記ＳＩＧフィールドの第２の部分を送信するために実行可能な命令とを有し、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であるコンピュータプログラムプロダクト。
［７８］ワイヤレス通信のための局において、
少なくとも１本のアンテナと、
前記少なくとも１本のアンテナを通して、フレーム構造の信号（ＳＩＧ）フィールドの第１の部分を受信するように構成されている受信機と、
前記ＳＩＧフィールドの前記第１の部分に基づいて、前記フレーム構造の送信モードを決定するように構成されている回路とを具備し、
前記受信機は、前記送信モードに基づいて、前記フレーム構造の残りのパートを受信するようにさらに構成され、
前記ＳＩＧフィールドは、複数の装置に対して共通である前記第１の部分と、各装置に対して特有である第２の部分とを含む局。
［７９］ワイヤレス通信のためのアクセスポイントにおいて、
複数のアンテナと、
信号（ＳＩＧ）フィールドを含むフレーム構造を発生させるように構成されている回路と、
前記複数のアンテナを通して、前記フレーム構造の前記ＳＩＧフィールドの第１の部分を送信するように構成されている送信機とを具備し、
前記送信機は、前記フレーム構造の前記ＳＩＧフィールドの第２の部分を送信するようにさらに構成され、
前記第１の部分は、複数の装置に対して共通であり、
前記フレーム構造の送信モードは、前記ＳＩＧフィールドの前記第１の部分に基づいて検出され、
前記第２の部分は、前記複数の装置のそれぞれに対して特有であるアクセスポイント。
【外国語明細書】
2014140188000001.pdf